(57)【要約】【課題】パネルの下方への押し付け作業の作業性を向上させる。【解決手段】下方水密部材６が床面に圧接され、側方水密部材５が縦枠３の室外側見付面に圧接された状態で、固定手段８によって建物開口部の室外側下方部位に取り付けられる止水パネルにおいて、パネル本体４の第１面部４０、第２面部４１の少なくとも一方の下方部位には、下方押し込み要素１３が持ち出し状に突設されており、下方押し込み要素１３に足を載せてパネル本体４を下方に押し込むことで下方水密部材６を床面に圧接する。【選択図】図１８
2018071221.tif 000002
【特許請求の範囲】
【請求項１】
第１面部と、第２面部と、上面と、下面と、左右の側面と、を備えたパネル本体と、
前記パネル本体の前記下面に幅方向に亘って設けた下方水密部材と、
を備え、
前記下方水密部材が床面に圧接された状態で建物開口部の室外側下方部位に取り付けられる止水パネルの取付構造であって、
前記パネル本体の第１面部、第２面部の少なくとも一方には、下向きの力を作用させることができる押し込み面を備えた下方押し込み要素が設けてあり、前記押し込み面に下向きの力を作用させて前記パネル本体を下方に押し込むことで前記下方水密部材を床面に圧接するように構成されている、
止水パネルの取付構造。
【請求項２】
前記下方押し込み要素は、前記パネル本体の第１面部、第２面部の少なくとも一方の下方部位に設けてある、請求項１に記載の止水パネルの取付構造。
【請求項３】
前記下方押し込み要素が前記パネル本体の第１面部、第２面部の少なくとも一方から持ち出し状に突設されており、前記下方押し込み要素の上面が前記押し込み面となっている、請求項１、２いずれか１項に記載の止水パネルの取付構造。
【請求項４】
前記下方押し込み要素の下面は当接部を備えており、
前記当接部と前記床面はパネル本体押し込み前では所定の距離で離間しており、
前記所定の距離は、前記下方水密部材の必要な押し込み量に相当しており、前記当接部が前記床面に当接した時に、前記下方水密部材の必要な押し込み量が得られる、
請求項３に記載の止水パネルの取付構造。
【請求項５】
前記パネル本体は、
前記パネル本体の前記第２面部の幅方向両端部位に高さ方向に亘って設けた左右の側方水密部材と、
前記パネル本体の幅方向両端にそれぞれ設けた固定手段と、
を備えており、
前記止水パネルは、前記下方水密部材が前記床面に圧接され、前記側方水密部材が前記縦枠の室外側見付面に圧接された状態で、前記固定手段によって建物開口部の室外側下方部位に取り付けられ、
前記下方押し込み要素は、前記固定手段により前記止水パネルを建物開口部の室外側下方部位に取り付ける設置者が足を前記押し付け面に載せやすい位置に設けてある、
請求項１〜４いずれか１項に記載の止水パネルの取付構造。
【発明の詳細な説明】
【技術分野】
【０００１】
本発明は、止水パネルの取付構造に係り、詳しくは、建物開口部の下方部位に取り付けて防水構造を構成する止水パネルの取付構造に関するものである。
【背景技術】
【０００２】
建物開口部を開閉する扉装置は、室内への雨水の浸入を防止する機能を備えているが、台風等による集中豪雨や局所的な豪雨（いわゆるゲリラ豪雨）が発生した場合の増水時には、建物開口部と、閉鎖姿勢の扉体と、の隙間から建物内への浸水のおそれがある。
【０００３】
本出願人は、建物開口部の下方部位に取り付けて防水構造を構成する止水パネルを提案している（特許文献１）。この止水パネルは、パネルの幅方向両端部位に高さ方向に亘って設けた左右の側方水密部材、パネル本体下面に幅方向に亘って設けた下方水密部材、固定手段を備え、下方水密部材を前記床面に圧接し、側方水密部材を前記縦枠の室外側見付面に圧接した状態で、固定手段の掛止部を建物開口部両端の縦枠の室内側角部に掛止させ、固定手段の締め具によって建物開口部の室外側下方部位に取り付けられる。
【０００４】
この止水パネルの設置時には、パネルの押し付け、固定手段の掛止部の引っ掛け、固定手段の締め具による固定といった複数の作業を行う必要があることから、必ずしも設置が簡単ではなかった。特に、設置者が一人の場合、設置者が非力の場合には尚更である。
【０００５】
止水パネルの水密性能において、水密部材によって扉体と建物開口部の隙間を閉塞することが重要であり、水密部材の押し付け作業は重要である。水密部材の押し付け作業が不十分であると、適切な防水性能が発揮できないおそれがある。また、設置者において、パネルの適切な下方押し付け量がわからないこともあり、下方水密部材の押し付け量が足りないと、設置者毎に防水性能にバラツキが発生し、設置者によっては十分な防水性能が得られない場合もある。
【特許文献１】特開２０１６−２８１８２号
【発明の開示】
【発明が解決しようとする課題】
【０００６】
本発明は、パネルの下方への押し付け作業の作業性を向上させることができる止水パネルの取付構造を提供することを目的とする。
【課題を解決するための手段】
【０００７】
本発明が採用した技術手段は、
第１面部と、第２面部と、上面と、下面と、左右の側面と、を備えたパネル本体と、
前記パネル本体の前記下面に幅方向に亘って設けた下方水密部材と、
を備え、
前記下方水密部材が床面に圧接された状態で建物開口部の室外側下方部位に取り付けられる止水パネルの取付構造であって、
前記パネル本体の第１面部、第２面部の少なくとも一方には、下向きの力を作用させることができる押し込み面を備えた下方押し込み要素が設けてあり、前記押し込み面に下向きの力を作用させて前記パネル本体を下方に押し込むことで前記下方水密部材を床面に圧接するように構成されている、
止水パネルの取付構造、である。
１つの態様では、前記下方押し込み要素は、前記パネル本体の第１面部、第２面部の少なくとも一方の下方部位に設けてある。
１つの態様では、前記下方押し込み要素が前記パネル本体の第１面部、第２面部の少なくとも一方から持ち出し状に突設されており、前記下方押し込み要素の上面が前記押し込み面となっている。
１つの態様では、前記下方押し込み要素を、前記パネル本体の第１面部、第２面部の少なくとも一方の面内に設けてもよい。
１つの態様では、前記パネル本体は、前記パネル本体の前記第２面部の幅方向両端部位に高さ方向に亘って設けた左右の側方水密部材と、前記パネル本体の幅方向両端にそれぞれ設けた固定手段と、を備えており、
前記止水パネルは、前記下方水密部材が前記床面に圧接され、前記側方水密部材が前記縦枠の室外側見付面に圧接された状態で、前記固定手段によって建物開口部の室外側下方部位に取り付けられ、
前記下方押し込み要素は、前記固定手段により前記止水パネルを建物開口部の室外側下方部位に取り付ける設置者が足を前記押し付け面に載せやすい位置に設けてある。
１つの態様では、前記固定手段は、可撓性長尺部と、可撓性長尺部の一端側の掛止部と、可撓性長尺部の他端側の締め具と、からなり、
前記止水パネルは、パネル本体を押し込むことで前記下方水密部材を床面に圧接し、前記掛止部を建物開口部両端の縦枠の室内側見付面と見込面とで形成される室内側角部に掛止させた状態で、前記締め具によって前記可撓性長尺部を引張することで、建物開口部の室外側下方部位に取り付けられる。
１つの態様では、固定手段によって止水パネルを取り付けた状態で、さらに、前記下方押し込み要素を足で踏みこんでパネル本体を下方に押し込むことで、下方水密部材をさらに床面に圧接させる。
本明細書において、床面は、建物開口部の下面を広く含み、床面には沓摺や下枠を含む。
【０００８】
１つの態様では、前記下方押し込み要素の下面は当接部を備えており、
前記当接部と前記床面はパネル本体押し込み前では所定の距離で離間しており、
前記所定の距離は、前記下方水密部材の必要な押し込み量に相当しており、前記当接部が前記床面に当接した時に、前記下方水密部材の必要な押し込み量が得られる。
こうすることで、パネルの押し付けを定量化することができ、いかなる設置者であっても、止水パネルを必要な所定量だけ下方へ押し付けることができ、設置者において防水性能にバラツキが発生することがなく、安定した防水性能を発揮する止水パネルの取付構造を提供することができる。
【発明の効果】
【０００９】
本発明では、パネル本体に、下向きの力を作用させることができる押し込み面を備えた下方押し込み要素が設けてあり、前記押し込み面に下向きの力を作用させて前記パネル本体を下方に押し込むことで前記下方水密部材を床面に圧接することができるので、下方への押し込み作業の作業性を向上させることができる。
また、止水パネルの設置者は、パネル本体の側方水密部材を縦枠への押し付け作業、パネル本体の下方水密部の床面への押し付け作業、固定手段の掛止部の縦枠への引っ掛け作業、固定手段の留め具を締める作業を含む複数の作業において、従来は設置者の両手で全て行っていたものを、設置者の両手と足（片足）に分担して行うことができ、作業の融通性を向上させることで作業性を向上することができる。
【図面の簡単な説明】
【００１０】
【図１】建物開口部の室外側の下方部位に取り付けられた止水パネルを示す正面図である。
【図２】建物開口部の室外側の下方部位に取り付けられた止水パネルを示す側面図である。
【図３】（Ａ）は、建物開口部の室外側の下方部位に取り付けられた止水パネルを示す平面図である。（Ｂ）は、建物開口部の室外側の下方部位に止水パネルを取り付ける前段階（固定具によりパネル本体を固定する前）を示す平面図である。
【図４】本実施形態に係る止水パネルの正面図（室内側面部）である。正面図において、固定手段の掛止部は省略されている。
【図５】図４の部分拡大図である。
【図６】図５に対応する平面図である。
【図７】止水パネルの固定手段を示す図である。下図は、上図を矢視方向から見た図である。
【図８】（Ａ）は、止水パネルの側面図である。（Ｂ）は、図８（Ａ）において固定具を除いた図である。（Ｃ）は、側方水密部材が設けた部位における縦断面図である。（Ｄ）は、ガイドプレート及び取付プレートが設けた部位における縦断面図である。図８における下方の水平線は実際の床面ではなく、止水パネルが下方に押し込まれた時の仮想床面を示している。
【図９】パネル本体を構成するパネルの側面図である。
【図１０】図９において、固定手段のベルトが引き出された状態を示す図である。
【図１１】ガイドプレートを示す図である。
【図１２】取付プレートを示す図である。
【図１３】（Ａ）、（Ｂ）は、それぞれガイドプレートの他の取付態様を示す図である。
【図１４】（Ａ）は、パネル本体が垂直方向に下方に押圧された状態（下方水密部材の圧縮）を示す側面図である。（Ｂ）は、パネル本体が垂直方向に下方に押圧される前の状態を示す側面図である。
【図１５】建物開口部左右端部の縦枠に取り付けられた止水パネルを示す部分平面図であり、側方水密部材は圧縮状態にある。
【図１６】建物開口部左右端部の縦枠に取り付けられた止水パネルを示す部分平面図であり、側方水密部材は圧縮状態にある。ベルトの第２部分の基端部位（ガイド部）が、掛止部よりも内側に位置している。
【図１７】止水パネルの正面図であり、パネルの下方押し込み手段１の第１実施形態を示す。
【図１８】左図は、止水パネルの側面図であり、パネルの下方押し込み手段１の第１実施形態を示す。右図は、第１実施形態の変形例を示す。
【図１９】（Ａ）は止水パネルの側面図であり、下方水密部材が圧縮された状態を示す。（Ｂ）は止水パネルの側面図であり、下方水密部材が圧縮される前の状態を示す。
【図２０】止水パネルの正面図であり、パネルの下方押し込み手段１の第２実施形態を示す。
【図２１】止水パネルの正面図であり、パネルの下方押し込み手段１の第２実施形態を示す。
【図２２】（Ａ）止水パネルの側面図であり、パネルの下方押し込み手段１の第２実施形態を示す。（Ｂ）止水パネルの下方部位の側面図である（下方押し込み要素の足載せ部の下面が当接部となっている）。（Ｃ）止水パネルの下方部位の側面図である（下方押し込み要素の足載せ部の下面に当接部が突設されている）。
【図２３】（Ａ）は止水パネルの側面図であり、下方水密部材が圧縮された状態を示す。（Ｂ）は止水パネルの側面図であり、下方水密部材が圧縮される前の状態を示す。
【図２４】止水パネルの側面図の上方部位であり、パネルの下方押し込み手段２の第１実施形態を示す。
【図２５】（Ａ）は、パネル本体が垂直方向に下方に押圧された状態（下方水密部材の圧縮）を示す側面図である。（Ｂ）は、パネル本体が垂直方向に下方に押圧される前の状態を示す側面図である。
【図２６】図２５（Ｂ）の平面図である。
【図２７】第１実施形態に係る下方押し付け具を示す図である。
【図２８】止水パネルの側面図の上方部位であり、パネルの下方押し込み手段２の第２実施形態を示す。
【図２９】止水パネルの側面図であり、下方水密部材が圧縮される前の状態を示す。
【図３０】図２９の平面図である。
【図３１】第２実施形態に係る下方押し付け具を示す図である。
【図３２】垂直押し込み量判定手段を説明する図である。
【図３３】第１実施形態に係る下方押し付け具の変形例を示す図である。
【図３４】第１実施形態に係る下方押し付け具のさらに他の変形例を示す図である。
【図３５】図３４に対応する図であり、第１実施形態に係る下方押し付け具のさらに他の変形例を示す図である。
【発明を実施するための形態】
【００１１】
［Ａ］止水パネルの全体構成
本発明の実施形態を図面に基づいて説明する。図１は本実施形態に係る止水パネルが設置された建物開口部の正面図である。図示の態様では、止水パネルは、２枚のスライド扉体１からなる自動ドアによって開閉される建物開口部の下方部位の室外側に設置される。建物開口部は、左右の壁ないし固定パネル２の端部に設けた左右の縦枠（方立て）３間に形成されている（図３（Ｂ）参照）。縦枠３は、断面視方形状を有しており、室外側の第１見付面３０、室内側の第２見付面３１、建物開口部に面する第１見込面３２、第１見込面３２と反対側の第２見込面３３を備えている（図１４、図１５参照）。
【００１２】
図１、図３、図４に示すように、止水パネルは、開口幅方向に横長の長方形のパネル本体４を備えている。パネル本体４は、建物開口部に設置した時に室外側に面する第１面部４０と、第１面部４０の反対側の第２面部４１と、上面４２と、下面４３と、左右の側面４４と、を備えており、第２面部４１を室内側に向けて、建物開口部の下方部位の室外側に取り付けられる。パネルの側面４４は密閉されている。パネル本体４の上面４２には取手４５が設けてある。本明細書において、パネル本体４の幅方向とは、左右方向、すなわち横幅方向を意味する。幅方向外側は、パネル本体４の左右の端部に近い側を意味し、幅方向内側は、パネル本体４の幅方向中央に近い側を意味する。止水パネルは、さらに、パネル本体４の第２面部４１の幅方向両端部位に設けた左右の側方水密部材５と、パネル本体４の下面４３に設けた下方水密部材６と、左右の側方水密部材５にそれぞれ隣接してパネル本体４の第２面部４１に設けた左右の当接部材７と、パネル本体４の第２面部４１の幅方向両端にそれぞれ設けた固定手段８と、パネル本体４の第２面部４１の幅方向両端にそれぞれ設けた垂直押し込み量判定手段９と、を備えている。
【００１３】
図７に示すように、固定手段８は、帯状のベルト８０と、ベルト８０の第１端部８００に設けた掛止部８１と、ベルト８０の第２端部８０１に設けた締め具８２と、からなる。止水パネルは、下方水密部材６を床面ＦＬに圧接し、固定手段８の掛止部８１を建物開口部両端の縦枠３の室内側角部に掛止させた状態で、固定手段８の締め具８２によってベルト８０を引張することで、下方水密部材６を床面ＦＬに圧接させ、かつ、側方水密部材５を縦枠３の第１見付面３０に圧接した状態で、建物開口部の室外側下方部位に取り付けられる。固定手段８の締め具８２を締めた後で、さらに、パネル本体４を上から下方向に押し付けて下方水密部材６を床面ＦＬに圧接することで、良好な水密性能が得られる。
【００１４】
開口部全閉時（図３（Ａ）参照）において、扉体１の戸尻側縦框１ａと縦枠３との間には隙間が存在しており、また、開口部全開時（図３（Ｂ）参照）において、扉体１の戸先側縦枠１ｂと縦枠３との間には隙間が存在しており、この隙間を利用して固定手段８の掛止部８１を縦枠３の室内側角部に掛止させることができ、また、止水パネルを取り付けた状態において、掛止状態にある掛止部８１が妨げとなることなく、扉体１の開閉が可能であり、建物開口部を開放して止水パネルを跨いで出入りすることができる。なお、止水パネルの設置対象は、スライド式のドアに限定されるものではなく、２枚の扉体からなる両開きドアによって開閉される建物開口部の下方部位の室外側に設置されてもよい。この場合、側方水密部材５、当接部材７を、パネル本体４の第２面部４１に固定したスペーサ（特許文献１参照）に設けてもよい。
【００１５】
パネル本体４の幅寸法は、止水パネルが設置される開口幅寸法（左右の縦枠３の第１見込面３２間の距離）よりも幾分（例えば＋１００ｍｍ）大きい寸法を備えており、パネル本体４の第２面部４１の幅方向両端部位が左右の縦枠３の第１見付面３０に対向するようになっている。パネル本体４は、想定水位（例えば、床面から４００ｍｍ）よりも大きい高さ寸法（例えば、５００ｍｍ）を備えている。図示の態様では、パネル本体４は、低背の２枚のパネル４Ａ、４Ｂを高さ方向に重ねて連結することで構成されている。パネル４Ａの下端とパネル４Ｂの上端との間には全幅に亘って防水テープ（図示せず）が設けてあり、パネル本体４の正面（高さ方向中央部位）からの水の浸入が防止されている。図示の態様では、パネル４Ａ、４Ｂの２部材を高さ方向に連結してパネル本体４を形成しているが、パネル本体４を一部材から一体的に形成してもよい。
【００１６】
図４、図５に示すように、パネル本体４の第２面部４１は、高さ方向の２箇所（各パネル４Ａ、４Ｂの高さ方向中間部位）において幅方向に亘って切り欠かれており横長の開口４１０が形成されている。開口４１０は上側垂直片４１１と下側垂直片４１２との間に形成されている。図９、図１０に示すように、パネル４Ａ、４Ｂの内部には、２つの水平状の中間壁４６、４７が高さ方向に間隔を存して形成されており、上下の中間壁４６、４７間に開口４１０が形成されている。上側垂直片４１１は上側の中間壁４６の第２面部４１寄りの部位から垂下しており、下側垂直片４１２は下側の中間壁４７の第２面部４１寄りの部位から立ち上がり形成されている。上側垂直片４１１及び下側垂直片４１２は、第２面部４１に対してパネル４Ａ、４Ｂの内方に位置している。なお、図示の態様では、パネル本体４の第２面部４１に開口４１０を形成しているが、第２面部４１は必ずしも開口を備えていなくてもよい。
【００１７】
パネル本体４の第２面部４１の幅方向両端部には、全高に亘って側方水密部材５が突設されており、側方水密部材５の下端面は、パネル本体４の下面４３を超えて下方に突出している。パネル本体４の下面４３には、全幅に亘って下方水密部材６が設けてある。側方水密部材５の下端面と下方水密部材６の下端部は略同一水平面上にある。パネル本体４には、幅方向両端の側方水密部材５及び下端の下方水密部材６の三方において水密部材が連続状に設けられている。側方水密部材５及び下方水密部材６は、弾性部材であり、止水パネルの取付時の押圧力である程度圧縮され、圧縮状態で縦枠３の第１見付面３０、床面ＦＬに密着して三方連続状の水密構造を提供する。本実施形態では、側方水密部材５、下方水密部材６は、シリコーンスポンジから形成されているが、その他、クロロプレンゴム、ＥＰＤＭ等から形成してもよい。図１４、図１９、図３２に示すように、パネル本体４の下面４３の室内側端部（第２面部４１側）には、下面４３よりも下方に垂直に延びる垂直片４３０が形成されている。下方水密部材６は水平面と垂直面と傾斜面とから断面視直角三角形の形状を有し、水平面を下面４３に当接させ、垂直面の上半部を垂直片４３０に当接させてパネル本体４の下面４３に取り付けられている。垂直片４３０は、下方水密部材６の垂直面の上半部に当接支持することで、下方水密部材６が倒れることを防止している。下方水密部材６の下端は、垂直面と傾斜面から形成されており、下方水密部材６が床面ＦＬに圧接された状態において垂直片４３０の下端は床面ＦＬから上方に離間している。
【００１８】
第２面部４１の幅方向両端部には、側方水密部材５の内側（開口幅方向端部から離間する側）に隣接して、側方水密部材５よりも低い突出寸法の当接部材７が突設されている。当接部材７は、前面、後面、左右の側面を備え、後面が第２面部４１に固定されたベース７０と、ベース７０の前面に設けたズレ止め部材（本実施形態では、ズレ止め緩衝ゴム）７１からなる。ズレ止め部材７１は、縦枠３の第１見付面３０に圧接ないし密着した時に、密着力ないし摩擦力によって、縦枠３の第１見付面３０に対する止水パネルの持ち上がりを防止する。ズレ止め部材７１は典型的には弾性を備えているが、当接部材７のベース７０は非弾性部材であり、止水パネルの取り付け時の押圧力によって圧縮されない。なお、当接部材７は、ベース７０の側面が側方水密部材５の隣接する立ち上がり面に接触することで、側方水密部材５の倒れ防止の役割も有する。当接部材７のベース７０は、例えば、螺子によってパネル本体４の第２面部４１に固定される。
【００１９】
止水パネルは、下方水密部材６を床面ＦＬに押し込んで圧接した状態で、建物開口部の室外側下方部位に取り付けられるが、下方への適切な押し込み量が必ずしも明確ではなく、下方水密部材６の押し込み量が不十分であると良好な防水性能が得られないおそれがある。本実施形態では、垂直押し込み量判定手段９によって、下方水密部材６の適切な圧縮程度を検知する。
【００２０】
図５に示すように、垂直押し込み量判定手段９は、垂直ロッド（中実でも中空でもよい）９０と、パネル本体４の第２面部４１の上下に設けられた上側ガイド部９１と、下側ガイド部９２と、を有する。上側ガイド部９１は左右の固定片９１０、９１１と、中央の中空状の凸部９１２と、から断面視ハット形状を有し、凸部９１２の中空部に垂直ロッド９０の上方部位を移動可能に受け入れるようになっている。下側ガイド部９２は左右の固定片９２０、９２１と、中央の中空状の凸部９２２と、から断面視ハット形状を有し、凸部９２２の中空部に垂直ロッド９０の下方部位を移動可能に受け入れるようになっている。
【００２１】
上側ガイド部９１の凸部９１２には縦長のガイド孔９１３が形成されており、垂直ロッド９０の上方部位の所定位置から水平方向に突設した突起（一つの態様では、螺子頭部から形成される）９００がガイド孔９１３の下縁に当接することで、垂直ロッド９０は上側ガイド部９１から上動可能に吊持されている。この状態から垂直ロッド９０が上動し、また、上動した状態から下動する時には、突起９００がガイド孔９１３に沿って案内されて上下動する。
【００２２】
図５、図１４（Ｂ）に示すように、下方水密部材６が押圧される前の状態では、垂直ロッド９０はガイド孔９１３の下縁から吊持されており、垂直ロッド９０の下端は、下方水密部材６の下端（パネル本体４の下端に設けた下方水密部材６を床面ＦＬに接地した場合には床面ＦＬ）から所定量だけ上方に離間した位置にあり、垂直ロッド９０の上端９０１（図３２参照）は、パネル本体４の上面４２と略同じ高さ位置にある。止水パネルの設置時に、パネル本体４を下方に押し付けて下方水密部材６を圧縮していくと、垂直ロッド９０の下端９０２（図３２参照）が床面ＦＬに当接して、垂直ロッド９０の上端部位がパネル本体４の上面４２よりも上方に突出する。なお、図１４（Ｂ）、図３２（Ｂ）に示す態様では、垂直ロッド９０の下端９０２は床面ＦＬに対して上方に位置しているが、下方水密部材６が押圧される前の状態において、垂直ロッド９０２の下端９０２が下方水密部材６の下端とほぼ同じ位置にあってもよい。この場合、下方水密部材６を圧縮と同時に垂直ロッド９が上動することになる。図１４、図１９、図３２に示すように、本実施形態では、下方水密部材６は断面視三角形状であり、垂直面の上半部は、パネル本体４の下面４３から垂下する垂直片４３０に支持されており、垂直ロッド９０の下端９０２は、垂直片４３０の下端よりも下方に位置している。また、垂直ロッド９０の下端９０２は、パネル本体４の見込方向ないし開口部前後方向（屋内外方向）において、下方水密部材６の下端（図示の態様では、垂直面と傾斜面の角部）近傍に位置しており、下方水密部材６の押し込み量をより正確に検知するようになっている（床面ＦＬに不陸等があったとしても）。なお、図３２（Ｇ）に示すように、垂直ロッド９０の下端９０２´を傾斜面として、下方水密部材６の下端（図示の態様では、垂直面と傾斜面の角部）に近接して尖った形状としてもよい。
【００２３】
下方水密部材６の適切な最低圧縮量（垂直距離）に基づいて、図１４（Ｂ）における垂直ロッド９０の下端と下方水密部材６の下端との距離を設定しておくことで、垂直ロッド９０の上端が不動部材として例示するパネル本体４の上面４２（側方水密部材５の上端、当接部材７の上端、上側ガイド部９１の上端）から突出したことを目視して下方水密部材６の押し込み量が十分であると判断する。あるいは、下方水密部材６の垂直方向の必要な圧縮量に対応して視認可能なマークを予め垂直ロッド９０の上端部位に設けておくことで、設置者はマークによって下方への押し込み量が十分であることを目視で認識することができる。視認可能なマークとしては、予め設定した所定量上動した時に現れるような色マーク９３（図３２（Ｃ）、（Ｄ））や目盛９４（図３２（Ｅ））を例示することができる。また、図３２（Ｆ）に示すように、垂直ロッド９０の下端に検知スイッチ９５を設け、垂直ロッド９０が下方水密部材６の適切な圧縮量まで下降した時点で検知スイッチ９５がＯＮとなるように設定し、検知スイッチ９５がＯＮとなった時に、音発生手段から音を発生させたり、あるいは、発光手段から発光させたりしてもよい。設置者は、音発生あるいは発光を知覚することで、下方への押し込み量が十分であることを判断する。この場合、発光部を設ける位置は限定されないが、パネルの下方押し込み作業中の設置者が認識できる部位に設けることが望ましく、例えば、垂直ロッド９０の上端に発光部（例えば、ＬＥＤ発光部）を設けて、垂直ロッド９０の上端が発光するようにしてもよい。
【００２４】
止水パネルは、パネル本体４に設けた固定手段８によって、建物開口部の下方部位に室外側から取り付けられる。図６、図７に示すように、固定手段８は、帯状のベルト８０と、ベルト８０の第１端部８００に設けた掛止部８１と、ベルト８０の第２端部８０１に設けた締め具８２と、からなる。本実施形態では、図４に示すように、止水パネルは、各左右端部に上下に離間して合計４つの固定手段８を備えている。なお、固定手段８は、少なくとも左右に１つずつあればよく、その数は４つに限定されない。
【００２５】
本実施形態では、固定手段８は、第２面部４１の横長の開口４１０に位置して設けてある。より具体的には、締め具８２の取付ベース８２０は、パネル本体４の幅方向端部から内側に離間した位置で開口４１０を跨ぐように第２面部４１に取り付けられており、第２端部が締め具８２に連結されたベルト８０は、締め具８２から開口４１０に沿ってパネル本体４の幅方向端部に向かって延びている。第２面部４１の幅方向端部に近い部位には、ベルト８０のガイド部（後述するガイドプレート１０のガイド片１００）が設けてある。締め具８２から開口４１０に沿って水平方向にパネル本体４の幅方向端部に向かって延びるベルト８０は、ベルトのガイド部によって折り曲げられて変向して第２面部４１から離間するように室内側に延びるようになっている。
【００２６】
本実施形態では、締め具８２は、いわゆるキャッチクリップであり、第２面部４１に固定された取付ベース８２０と、支軸を介して取付ベース８２０に回動可能に連結された回動操作レバー８２１と、一端が回動操作レバー８２１に連結され、他端がベルト８０の第２端部８０１に連結されたアーム８２２と、アーム８２２に外装したコイルスプリング８２３と、を備えており、回動操作レバー８２１は、第２面部４１に近接対向した第１姿勢と、第２面部４１に対して垂直状の第２姿勢との間で回動可能である。このようなキャッチクリップ自体は公知であるので、さらなる詳細な説明は省略する。回動操作レバー８２１を第２姿勢から第１姿勢とすることで、ベルト８０を引っ張って緊張状態で締め付けるようになっている。
【００２７】
本実施形態では、ガイド部は、当接部材７に隣接して、開口４１０を跨ぐように固定されたガイドプレート１０からなる。図１１に示すように、ガイドプレート１０は、第１面と第２面を有する方形状のプレートであり、第１面を室内側に向けて開口４１０を跨ぐように設けられ、締め具８２から離間する側（幅方向外側）の縁部には第２面部４１から離間するようにプレートから湾曲状に立ち上がるガイド片１００が形成されている。プレートには４つの螺子１２の螺子孔（雌螺子）１０１が形成されている。
【００２８】
ガイドプレート１０は取付プレート１１、取付用の螺子１２を用いて、パネル本体４の第２面部４１の幅方向の所定位置に固定される。図１２に示すように、取付プレート１１は、第１面と第２面を有する方形状のプレートである。プレートには４つの螺子１２の挿通孔１１０が形成されている。ガイドプレート１０と取付プレート１１を対向させた時には、取付プレート１１の螺子孔１０１と取付プレート１１の挿通孔１１０が一致するようになっている。
【００２９】
ガイドプレート１０の高さ寸法は、開口４１０の縦幅寸法よりも大きく、上側の中間壁４６の下面と下側の中間壁４７の上面間の高さ寸法と略同じである。ガイドプレート１０は、開口４１０を跨ぐようにして、ガイドプレート１０の第１面の上側部位（上側の螺子孔１０１より上側の部位）、下側部位（下側の螺子孔１０１より下側の部位）を、上側垂直片４１１、下側垂直片４１２の後面（パネル本体４の第２面部４１から遠い側の面）４１１１、４１２１に当接させて仮配置される。この時、ガイドプレート１０は下側の中間壁４７に載置した状態で仮配置されている。
【００３０】
取付プレート１１の高さ寸法は、開口４１０の縦幅寸法よりも大きく、上側の中間壁４６の下面と下側の中間壁４７の上面間の高さ寸法と略同じである。また、取付プレート１１の厚さは、第２面部４１と上側垂直片４１１、下側垂直片４１２との段差に対応している。取付プレート１１は、第１面を室内側に向けて開口４１０を跨ぐようにして、取付プレート１１の第２面の上側部位（上側の挿通孔１１０よりも上側の部位）、下側部位（下側の挿通孔１１０よりも下側の部位）を、上側垂直片４１１、下側垂直片４１２の前面（パネル本体４の第２面部４１に近い側の面）前面４１１０、４１２０に当接させて仮配置される。この時、ガイドプレート１０は下側の中間壁４７に載置した状態で仮配置されている。取付プレート１１の第１面とパネル本体４の第２面部４１とは面一となっている。
【００３１】
ガイドプレート１０及び取付プレート１１の仮配置状態において、ガイドプレート１０の上側の２つの螺子孔１０１と取付プレート１１の上側の２つの挿通孔１１０は、上側垂直片４１１の下方、すなわち、開口４１０に位置して対向一致しており、ガイドプレート１０の下側の２つの螺子孔１０１と取付プレート１１の下側の２つの挿通孔１１０は、下側垂直片４１２の上方、すなわち、開口４１０に位置して対向一致している。
【００３２】
４本の螺子１２を取付プレート１１の挿通孔１１０からガイドプレート１０の螺子孔１０１に締め込むことで、ガイドプレート１０の上側部位と取付プレート１１の上側部位で上側垂直片４１１を前後から挟持し、ガイドプレート１０の下側部位と取付プレート１１の下側部位で下側垂直片４１２を前後から挟持し、螺子１２を締めることで、ガイドプレート１０がパネル本体４の第２面部４１の幅方向の所定位置に固定される。
【００３３】
第２面部４１の幅方向の所定位置にガイドプレート１０が固定された状態において、第２面部４１の幅方向において、ガイド部（ガイドプレート１０のガイド片１００）の位置を変更したい場合には、螺子１２を緩めることで、ガイドプレート１０、取付プレート１１を上側垂直片４１１、下側垂直片４１２に沿って第２面部４１の幅方向に移動させることができ、所望の位置にガイドプレート１０、取付プレート１１を移動させた状態で螺子１２を締めることで、ガイドプレート１０を固定することができる。
【００３４】
ベルト８０は、締め具８２からパネル本体４の幅方向端部に向かって、横長の開口４１０に沿ってパネル本体４の幅方向に延び（第１部分８０Ａ）、ガイドプレート１０の裏側を通って、ガイド片１００に掛け回され、ガイド片１００によって、パネル本体４の第２面部４１から離れる方向に引き出されて延びる（第２部分８０Ｂ）。なお、ベルト８０の長さは現場において調整可能となっている。
【００３５】
ベルト８０の第１端部８００に連結された掛止部８１は、基端がベルト８０の第１端部８００に連結された第１片８１０と、第１片８１０の延びる方向に対して垂直状に延びる第２片８１１と、を備え、略Ｌ形状に形成されており、いわば引掛金具を構成している。第１片８１０、第２片８１１は共に所定幅を備えた板状体であり、第２片８１１の内面には、滑り止め要素（本実施形態では、滑り止めゴム）８１２が設けてある。図示の態様では、第１片８１０の傾斜状の先端部と第２片８１１の基端部からＶ形状の突出部Ｖが突成されており、掛止部８１の角部の内側には空間Ｓが形成されている。より具体的には、第２片８１１は、第１片８１０を通る面に対して第１側に延びており、第１片８１０の先端部は、前記面に対して第２側に傾斜しており、第２片８１１の基端部は、前記面を越えて第２側に延びており、第１片８１０の先端部と第２片８１１の基端部が接続されている。
【００３６】
図１５に示すように、止水パネルが取り付けられた状態において、掛止部８１の第２片８１１が滑り止め要素８１２を介して縦枠３の第２見付面３１に当接しており、縦枠３の第２見付面３１と第１見込面３２で形成される角部は空間Ｓに対向している。出願人が鋭意研究したところ、掛止部８１の角部の内側には空間Ｓを形成する形状の掛止部８１を採用することで、掛止部８１が縦枠３からより外れ難いことがわかった。また、角が出ているような縦枠（方立て）に対しても、空間Ｓによって掛止部８１と角との干渉を防止して良好に掛止することができる。なお、空間Ｓを備えた図示の掛止部８１は掛止部の例示態様であって、空間Ｓを備えないＬ形状の掛止部であってもよく、あるいは、第１片８１０と第２片８１１の角度を９０度よりも僅かに鋭角にして、第１片８１０が第１見込面３２に対してより密着するようにしてもよい。
【００３７】
本実施形態に係る止水パネルの取付について説明する。止水パネルのパネル本体４は、建物開口部の開口幅寸法よりもやや大きい幅寸法を備えており、建物開口部の室外側に位置して、左右の縦枠３間に当該縦枠３を跨ぐように左右の縦枠３間に取り付けられる。止水パネルは、下面４３の下方水密部材６を床面ＦＬに圧接した状態で、第２面部４１の幅方向両端部に設けた側方水密部材５を、建物開口部左右の縦枠３の第１見付面３０に当接させ（この状態では、当接部材７と第１見付面３０は離間している）、固定手段８の掛止部８１の第１片８１０を縦枠３の第１見込面３２に当接ないし近接させると共に、第２片８１１を縦枠３の第２見付面３１に当接させることで、当該掛止部８１を縦枠３の室内側の角部に掛止させた状態とし（締め具８２による固定を確実に行うために、必要に応じてベルト８０の長さを調整する）、その状態から、締め具８２の回動操作レバー８２１を回動して、ベルト８０を引っ張って緊張状態に締め付けて固定する。
【００３８】
掛止部８１が縦枠３の室内側の角部（第２見付面３１と見込面３２）に掛止した状態で、ベルト８０を引っ張ることで、縦枠３に対してパネル本体４が押圧され、側方水密部材５は縦枠３の第１見付面３０に圧接され、側方水密部材５が圧縮されることで、第２面部４１に側方水密部材５に隣接して設けた当接部材７のズレ止め部材７１が縦枠３の第１見付面３０に圧接される（図１５参照）。
【００３９】
固定手段８の締め具８２を締めた後で、さらに、パネル本体４を上から下方向に押し付けて下方水密部材６を圧縮することで、良好な水密性能が得られる。この時の下方水密部材６の適切な圧縮の程度は、垂直ロッド９０の上端部位に設けたマークで判断することができる。止水パネルを取り付けた状態において、当接部材７のズレ止め部材７１が縦枠３の第１見付面３０に圧接されることで、止水パネルの持ち上がりを可及的に防止し、止水パネルの下方水密部材６と床面ＦＬとの水密状態を維持する。
【００４０】
止水パネルを取り付けた状態において、ベルト８０は、ガイド部（ガイドプレート１０のガイド片１００）によって折り曲げられた状態（第２面部４１に沿って幅方向に延びる第１部分８０Ａと第２面部４１から離間するように室内側へ向かって延びる第２部分８０Ｂ）で緊張状態にあり、掛止部８１の第１片８１０は、第２部分８０Ｂと略直線状にある。
【００４１】
図１５に示すように、止水パネルが取り付けられた状態において、ベルト８０の第２部分８０Ｂ（第２面部４１から離間するように室内側へ向かって延びる）と掛止部８１の第１片８１０は直線状にあり、かつ、縦枠３の第１見込面３２に沿って延びている。より安定した掛止状態を得るためには、このように、第２部分８０Ｂと第１片８１０が縦枠３の第１見込面３２に沿って延びることが望ましいが、そのためには、ガイドプレート１０のガイド片１００と縦枠３の第１見込面３２との位置関係が重要である。
【００４２】
実際の現場では寸法誤差もあり、掛止部８１は左右両側に存在することから、そのためには、ガイドプレート１０のガイド片１００と縦枠３の第１見込面３２との位置関係が設計通りではない場合もある。例えば、図１６に示す態様では、ガイドプレート１０のガイド片１００の位置が、掛止部８１が掛止する縦枠３の室内側角部よりも所定量内側に位置しており、ベルト８０の第２部分８０Ｂは平面視において傾斜状に延びている。掛止部８１の第２片８１１と縦枠３の第２見付面３１が十分に密着していないことから、この掛止状態は不安定であり、場合によっては、掛止部８１と縦枠３との掛止状態が外れてしまうおそれがある。
【００４３】
この場合、ベルト８０の第２部分８０Ｂ及び掛止部８１の第１片８１０を、縦枠３の第１見込面３２に沿って延びるように配置するためには、縦枠３の第１見込面３２を延長した仮想面とパネル本体４の第２面部４１が交わる位置にベルト８０の第２部分８０Ｂの基端８００Ｂを位置させる必要がある。また、図示の例では、止水パネルの取付状態において、パネル本体４の第２面部４１と縦枠３の第１見込面３２は垂直状に延びているが、実際の現場では、図１６のように、縦枠３の第１見込面３２が第２面部４１に対して僅かに斜めに延びることも起こり得る。この場合も、ベルト８０の第２部分８０Ｂ及び掛止部８１の第１片８１０を、縦枠３の第１見込面３２に沿って延びるように配置するためには、縦枠３の第１見込面３２を延長した仮想面とパネル本体４の第２面部４１が交わる位置にベルト８０の第２部分８０Ｂの基端８００Ｂを位置させる必要がある。なお、ベルト８０の第２部分８０Ｂの基端８００Ｂが縦枠３の第１見込面３２よりも幅方向外側（当接部材７側）に寄っていてもよい（この場合は、掛止部８１と縦枠３との掛止状態が維持される）。
【００４４】
本発明では、ガイドプレート１０のガイド片１００の位置を、パネル本体４の幅方向において調節可能とすることで、固定手段８のベルト８０の第２部分８０Ｂの基端８００Ｂの位置を、パネル本体４の幅方向に調整可能となっており、現場における位置調整を可能としている。図１６に示す態様において、現場において、螺子１２を緩めて、ガイドプレート１０と取付プレート１１による上側垂直片４１１、下側垂直片４１２の挟持状態を解除し、ガイドプレート１０、取付プレート１１、螺子１２をセットで矢印方向に所定位置まで移動させ、螺子１２を締めることによって、ガイドプレート１０のガイド片１００の位置をパネル本体４の幅方向の端部側に位置調整し、図１５に示す態様を得ることができる。このように、固定手段８のベルト８０の第２部分８０Ｂの基端８００Ｂの位置を、パネル本体４の幅方向に調整可能とすることで、ベルト８０の第２部分８０Ｂの第１部分８０Ａに対する引き出し方向（第１部分８０Ａないし第２面部４１に対する第２部分８０Ｂの角度）が調整可能となっている。
【００４５】
ガイドプレート１０のガイド片１００の位置を調整する構成はこのものには限定されない。図１３にガイドプレートの他の取付態様を示す。図１３（Ａ）では、ガイドプレート１０´の上側部位、下側部位は、それぞれ、上側垂直片４１１、下側垂直片４１２の後面４１１１、４１２１（図９参照）に当接させて螺子１２´で固定されている。図１３（Ｂ）では、ガイドプレート１０´´の上側部位、下側部位は、それぞれ、上側垂直片４１１、下側垂直片４１２の前面４１１０、４１２０（図９参照）に当接させて螺子１２´´で固定されている。すなわち、開口４１０を跨ぐようにガイドプレート１０´、１０´´が設けられており、ガイド部１００´、１００´´は、ガイドプレート１０´、１０´´の側方水密部材に近い側に形成されており、ベルト８０の第１部分８０Ａはガイドプレート１０´、１０´´の裏側を通り、ガイド部１００´、１００´´に案内されて第２部分８０Ｂとして引き出される。上側垂直片４１１、下側垂直片４１２あるいは／およびガイドプレート１０´あるいは１０´´に横長孔（図示せず）を形成することで、横長孔の範囲内でガイドプレート１０´、１０´´（ガイド片１００´、１００´´）の取付位置を可変とすることができる。また、図１３（Ｂ）に示すものにおいて、上側垂直片４１１、下側垂直片４１２の後面４１１１、４１２１に取付プレート（図示せず）を配置し、ガイドプレート１０´´と取付プレート（図示せず）で上側垂直片４１１、下側垂直片４１２を挟んで固定し（図９の実施形態の取付構造参照）、開口４１０に位置して前側のガイドプレート１０´´と取付プレート（図示せず）の間でベルト８０の第１部分８０Ａが延びるようにしてもよい。
【００４６】
［Ｂ］パネルの下方押し込み手段
止水パネルの水密性能において、側方水密部材５、下方水密部材６によって扉体１と建物開口部の隙間を閉塞することが重要であり、これらの水密部材５、６の押し付け作業は重要である。この止水パネルの設置時には、側方水密部材５、下方水密部材６を縦枠３、床面ＦＬに密着させるためのパネルの押し付け、固定手段８の掛止部８１の引っ掛け、固定手段の締め具８２によるパネルの固定といった複数の作業を両手で行う必要があることから、必ずしも設置が簡単ではなかった。特に、設置者が一人の場合、設置者が非力の場合には尚更である。また、設置者において、下方水密部材６の下方への適切な押し込み量が把握に難く、下方水密部材６の押し込み量が不十分であると良好な防水性能が得られないおそれがある。次に、下方水密部材６を床面ＦＬに圧接させるためのパネルの下方押し込み手段について説明する。
【００４７】
［Ｂ−１］パネルの下方押し込み手段１
図１７〜図２３を参照しつつ、パネルの下方押し込み手段１について説明する。図１７〜図１９に第１実施形態を示し、図２０〜２３に第２実施形態を示す。パネルの下方押し込み手段１は、パネル本体４の面部に設けた下方押し込み要素１３を用いて（下方押し込み要素１３に足をかけて荷重する）パネル本体４を下方に押し込むものである。図１７〜図２３において、既述の説明における要素と同等の要素については同一の参照番号が付してあり、同一の参照番号が付された要素の説明については、既述の記載を適宜援用することができる。
【００４８】
図１７〜図１９に基づいて、パネルの下方押し込み手段１の第１実施形態について説明する。パネル本体４の第１面部４０、第２面部４１の下方部位には、下方押し込み要素１３が設けてある。図示の例では、第２面部４１に設けられた下方押し込み要素１３は、上側のパネル４Ａと下側のパネル４Ｂからなるパネル本体４の下側のパネル４Ｂにおいて、固定手段８及び開口４１０が形成された部位の下方に位置して設けてあり、第１面部４０に設けられた下方押し込み要素１３も同じ高さ位置に設けてある。なお、第１面部４０に設けた下方押し込み要素１３と第２面部４１に設けた下方押し込み要素１３を異なる高さ位置に設けてもよい。図示の例では、パネル本体４の第１面部４０、第２面部４１の両側に下方押し込み要素１３が設けてあるが、下方押し込み要素１３を第１面部４０、第２面部４１のいずれか一方に設けたものでもよい。設置者が一人の場合には、下方押し込み要素１３は少なくとも第２面部４１に設けることが好ましい。また、下方押し込み要素１３を設ける位置は限定されず、パネル本体４の上方部位に位置させて設けてもよい。
【００４９】
下方押し込み要素１３は、垂直状の取付部１３０と、水平状の足載せ部１３１と、から断面視Ｌ形状を有しており、取付部１３０がパネル本体４の第１面部４０、第２面部４１の下方部位にそれぞれ固定されており、足載せ部１３１は、第１面部４０、第２面部４１から持ち出し状に水平に延びている。足載せ部１３１の上面が下向きの力をパネル本体４に作用させる押し込み面となっている。下方押し込み要素１３の形状は断面視Ｌ形状に限定されるものではなく、例えば、断面視横長方形状であってもよく、例えば、一方の垂直状の短辺においてパネル本体４の第１面部４０および／あるいは第２面部４１に固定され、上側の水平状の長辺が押し込み面として機能する。下方押し込み要素１３は、パネル本体４と一体で成形してもよく、この場合は、例えば、足載せ部がパネル本体４の第１面部４０および／あるいは第２面部４１から持ち出し状に一体で突出することになる。なお、図示の足載せ部１３１の上面の押し込み面はフラット面であるが、この押し込み面を粗面としたり、滑り止め加工を施したり、凹部を形成したりしてもよい。
【００５０】
図１７に示す態様では、下方押し込み要素１３は、パネル本体４の幅方向左右の垂直押し込み量判定手段９の垂直ロッド９０間に位置して、第１面部４０、第２面部４１の幅方向に亘って延びているが、下方押し込み要素１３の長さ寸法は限定されず、また、パネル本体４の幅方向に複数本設けてもよい。下方押し込み要素１３の足載せ部１３１の突出寸法（図１８に示す寸法α）は、限定されないものの、一つの態様では、設置者が足載せ部１３１の長さ方向に沿って足を載せることができる程度の寸法（想定される足幅寸法、ないし、例えば１０ｍｍ以上）となっている。
【００５１】
設置者は、固定手段８の掛止部８１の引っ掛け、及び、締め具８２の固定を両手を用いて作業できる一方、パネル本体４の下方への押し付けを足載せ部１３１に足を載せて行うことができ、止水パネルの側方水密部材５、下方水密部材６の押し付け作業及び縦枠３への取り付け作業の融通性が向上する。下方押し込み要素１３は、パネル本体４において、固定手段８による止水パネルの縦枠３の取付作業を行う設置者が足を足載せ部１３１の上面に載せやすいような位置に設けられることが望ましい。
【００５２】
図１８、図１９（Ａ）、（Ｂ）に示すように、下方押し込み要素１３の足載せ部１３１の下面は、パネル本体４の下面４３よりも上方に位置している。図１９（Ａ）に示すように、パネル本体４を下方に押し込んで下方水密部材６を圧縮させた状態においても、下方押し込み要素１３の足載せ部１３１の下面は床面ＦＬから上方に離間している。
【００５３】
パネル本体４の第２面部４１の幅方向両端には、それぞれ垂直押し込み量判定手段９が設けてある。図１９（Ｂ）に示すように、パネル本体４の垂直方向押圧前の状態において、垂直ロッド９０の下端部位は、下方押し込み要素１３の足載せ部１３１の下面よりも下方に突出しており、垂直ロッド９０の下端は床面ＦＬから僅かに上方に離間している。
垂直ロッド９０の上端はパネル本体４の上面４２と略同じ高さに位置している。
【００５４】
図１９（Ｂ）の状態において、下方押し込み要素１３の足載せ部１３１の上面に足を載せて体重をかけてパネル本体４を押し込むと、下方水密部材６が圧縮されて、パネル本体４が下方に移動し、垂直ロッド９０の下端が床面ＦＬに当接して、垂直ロッド９０の上端部位が上昇し、垂直ロッド９０の上端がパネル本体４の上面４２から上方に突出する。設置者は、垂直ロッド９０の上端がパネル本体４の上面４２から突出したことを目視で認識することで下方水密部材６の押し込み量が十分であると判断する。なお、パネルの下方押し込み手段１の第１実施形態として、パネル本体４の第１面部４０および／あるいは第２面部４１から持ち出し状に突出した下方押し込み要素１３を示したが、パネルの下方押し込み手段１の第１実施形態の変形として、図１８右図に示すように、パネル本体４の第１面部４０および／あるいは第２面部４１の面内に凹成された下方押し込み要素１３´を設けてもよい。下方押し込み要素１３´の凹部の下面が足載せ部１３１´（押し込み面）として機能する。下方押し込み要素１３´の断面形状は、下方への力を加えることができる押し込み面を備えていれば限定されない。
【００５５】
図２０〜図２３に基づいて、パネルの下方押し込み手段１の第２実施形態について説明する。パネル本体４の第１面部４０、第２面部４１の下方部位には、下方押し込み要素１３が設けてある。図示の例では、第２面部４１に設けられた下方押し込み要素１３は、上側のパネル４Ａと下側のパネル４Ｂからなるパネル本体４の下側のパネル４Ｂにおいて、固定手段８及び開口４１０が形成された部位の下方に位置して設けてあり、第１面部４０に設けられた下方押し込み要素１３も同じ高さ位置に設けてある。図示の例では、パネル本体４の第１面部４０、第２面部４１の両側に下方押し込み要素１３が設けてあるが、下方押し込み要素１３を第１面部４０、第２面部４１のいずれか一方に設けたものでもよい。設置者が一人の場合には、下方押し込み要素１３は少なくとも第２面部４１に設けることが好ましい。
【００５６】
下方押し込み要素１３は、垂直状の取付部１３０と、水平状の足載せ部１３１と、から断面視Ｌ形状を有しており、取付部１３０がパネル本体４の第１面部４０、第２面部４１の下方部位にそれぞれ固定されており、足載せ部１３１は、第１面部４０、第２面部４１から持ち出し状に水平に延びている。足載せ部１３１の上面が下向きの力をパネル本体４に作用させる押し込み面となっている。下方押し込み要素１３の形状は断面視Ｌ形状に限定されるものではなく、例えば、断面視横長方形状であってもよく、例えば、一方の短辺においてパネル本体４の第１面部４０および／あるいは第２面部４１に固定され、上側の長辺が押し込み面として機能する。下方押し込み要素１３は、パネル本体４と一体で成形してもよく、この場合は、例えば、足載せ部がパネル本体４の第１面部４０および／あるいは第２面部４１から持ち出し状に一体で突出することになる。なお、図示の足載せ部１３１の上面の押し込み面はフラット面であるが、この押し込み面を粗面としたり、滑り止め加工を施したり、凹部を形成したりしてもよい。
【００５７】
図２０に示す態様では、下方押し込み要素１３は、パネル本体４の幅方向左右の両側にそれぞれ設けられている。図２１に示す態様では、下方押し込み要素１３は、第１面部４０、第２面部４１の幅方向略全体に亘って延びている。下方押し込み要素１３の長さ寸法や本数は、これらに限定されない。下方押し込み要素１３の足載せ部１３１の突出寸法（第１実施例の寸法α参照）は、限定されないものの、一つの態様では、設置者が足載せ部１３１の長さ方向に沿って足を載せることができる程度の寸法（想定される足幅寸法、ないし、例えば１０ｍｍ以上）となっている。
【００５８】
設置者は、固定手段８の掛止部８１の引っ掛け、及び、締め具８２の固定を両手を用いて作業できる一方、パネル本体４の下方への押し付けを足載せ部１３１に足を載せて行うことができ、止水パネルの側方水密部材５、下方水密部材６の押し付け作業及び縦枠３への取り付け作業の融通性が向上する。下方押し込み要素１３は、パネル本体４において、固定手段８による止水パネルの縦枠３の取付作業を行う設置者が足を足載せ部１３１の上面に載せやすいような位置に設けられることが望ましい。
【００５９】
図２２（Ａ）、図２３（Ａ）、（Ｂ）に示すように、下方押し込み要素１３の足載せ部１３１の下面１３１０は、パネル本体４の下面４３よりも下方に位置しており、側方水密部材５の下端、下方水密部材６の下端よりも上方に位置している。図２３（Ｂ）に示すように、下方水密部材６が圧縮される前の状態では、下方押し込み要素１３の足載せ部１３１の下面１３１０は床面ＦＬから上方に離間している。図２３（Ａ）に示すように、パネル本体４を下方に押し込んで下方水密部材６を圧縮させた時に、下方押し込み要素１３の足載せ部１３１の下面１３１０は床面ＦＬに当接するようになっている。
【００６０】
図２２（Ｂ）に示すように、下方水密部材６が圧縮される前の状態では、下方押し込み要素１３の足載せ部１３１の下面１３１０と床面ＦＬとの垂直方向の距離ｄは、下方水密部材６の必要な圧縮量に相当する距離に設定されている。すなわち、下方押し込み要素１３は、下方水密部材６の下端から距離ｄだけ上方に離間した位置に足載せ部１３１の下面（当接部）が位置するように、パネル本体４に取り付けられている。図２３（Ｂ）の状態において、下方押し込み要素１３の足載せ部１３１の上面に足を載せて体重をかけてパネル本体４を押し込むと、下方水密部材６が圧縮されて、パネル本体４が下方に移動し、下方押し込み要素１３の足載せ部１３１の下面１３１０が床面ＦＬに当接したことを認識することで下方水密部材６の押し込み量が十分であると判断する。
【００６１】
図２３では、下方押し込み要素１３の足載せ部１３１の下面１３１０が床面ＦＬに当接するまで足載せ部１３１を踏み込むようにしたが、図２２（Ｃ）に示すように、下方押し込み要素１３の足載せ部１３１の下面１３１０から下方に突出する当接部１３２を設けてもよい。図２２（Ｃ）に示すように、下方水密部材６が圧縮される前の状態では、下方押し込み要素１３の足載せ部１３１の下面１３１０に設けた当接部１３２の下端と床面ＦＬとの垂直方向の距離ｄは、下方水密部材６の必要な圧縮量に相当する距離に設定されている。すなわち、下方押し込み要素１３は、下方水密部材６の下端から距離ｄだけ上方に離間した位置に足載せ部１３１の下面の当接部１３２が位置するように、パネル本体４に取り付けられている。下方押し込み要素１３の足載せ部１３１の上面に足を載せて体重をかけてパネル本体４を押し込むと、下方水密部材６が圧縮されて、パネル本体４が下方に移動し、下方押し込み要素１３の足載せ部１３１の下面１３１０の当接部１３２が床面ＦＬに当接したことを認識することで下方水密部材６の押し込み量が十分であると判断する。図２２（Ｃ）では、足載せ部１３１の下面１３１０から膨出状の断面視下向き湾曲の当接部１３２を示したが、当接部１３２の形状、寸法（下面１３１０の幅寸法及び長さ寸法に対する）、個数は限定されない。また、パネルの下方押し込み手段１として示した下方押し込み要素１３はパネル本体４を下方に押し込むための手段であるが、パネル本体４の第１面部４０に下方押し込み要素１３を備えたものにおいて、当該下方押し込み要素１３を足で床面ＦＬのみならず縦枠３の第１見付面３０の下方部位に押し付けることで、下方水密部材６及び側方水密部材の下方部位を床面ＦＬ及び第１見付面３０の下方部位に密着させることができる。
【００６２】
［Ｂ−２］パネルの下方押し込み手段２
図２４〜図３１を参照しつつ、パネルの下方押し込み手段２について説明する。図２４〜図２７に第１実施形態を示し、図２８〜３１に第２実施形態を示す。下方押し込み手段２は、パネル本体４とは独立した別体の下方押し付け具を用いてパネル本体４を下方に押し込むものである。図２４〜図３１において、既述の説明における要素と同等の要素については同一の参照番号が付してあり、同一の参照番号が付された要素の説明については、既述の記載を適宜援用することができる。
【００６３】
図２４〜図２７に基づいて、パネルの下方押し込み手段２の第１実施形態について説明する。下方押し付け具は、縦枠３の掴持部である第１要素１４と、第１要素１４の支持部である第２要素１５と、第２要素１５に設けた螺子部１６と、を備えている。
【００６４】
図２７に示すように、第１要素１４は、対向状の第１辺１４０、第２辺１４１と、第１辺１４０と第２辺１４１とを連結する第３辺１４２と、から断面視コ字形状を備える。図示の態様では、第１辺１４０は第２辺１４１よりも短いが、逆に長くても、あるいは同寸でもよい。第１要素１４が縦枠３を掴持した時には、第１辺１４０が縦枠３の第２見付面３１に当接し、第２辺１４１が縦枠３の第１見付面３０に当接し、第３辺１４２が縦枠３の第１見込面３２に近接ないし当接する（図２４〜図２６参照）。第１辺１４０と第２辺１４１による縦枠３の第２見付面３１、第１見付面３０の掴持の詳細については後述する。第１辺１４０の内面、第２辺１４１の内面には、第１辺１４０及び第２辺１４１を形成する部材（スチール等の金属）よりも柔軟な材質からなり、ズレ止め機能及び縦枠３の保護機能を備えた当接シート１４３、１４４がそれぞれ設けてある。図示の態様では、当接シート１４３、１４４は、第１辺１４０、第２辺１４１の全面（第１辺１４０の下端部１４００、第２辺１４１の上端部１４１０を含む）に亘って設けてあるが、縦枠３と当接部（下端部１４００、上端部１４１０）を含む部分面に設けてもよい。あるいは、当接シート１４３、１４４は当接部（下端部１４００、上端部１４１０）を越えて延ばしてもよいが、その場合には、当接シート１４３、１４４の破損を防止するために当接部（下端部１４００、上端部１４１０）を面取りしてもよい。１つの態様では、当接シートはウレタンシート等のゴムである。なお、第３辺１４２の内面に当接シートを設けてもよい。図２７に示すように、第２要素１５は、基端が掴持部１４の第１辺１４１に固定（例えば、溶接）されており、先端に向かって下向き傾斜状の上壁１５０と対向状の側壁１５１とからなる。
【００６５】
図２７に示すように、螺子部１６は、円板状のハンドル１６０と、軸部１６１と、傾斜状の上壁１５０の下面に固定されたナット１６２と、からなり、傾斜姿勢で支持部１５に取り付けられている。螺子部１６のハンドル１６０を回転させると、支持部１５に対して、軸部１６１は傾斜姿勢（軸部１６１の先端が掴持部１４に近づく方向に傾斜）で斜め下方に移動する。また、図２７上図の平面視において、軸部１６１の中心を通る線上（ボルト１６２の中心線のうちの水平線の延長線上）に第１見付辺１４０、第２見付辺１４１が位置している。
【００６６】
本実施形態では、下方押し付け具は、当接ピース１６３を介してパネル本体４の上面４２を押し付けるようになっている。当接ピース１６３は、側面視直角三角形状の長辺の第１傾斜片１６３０、短辺の第２傾斜片１６３１と、からなり、第１傾斜片１６３０の先端、第２傾斜片１６３１の先端がパネル本体４の上面４２に当接し、螺子部１６の軸部１６１の下端が第１傾斜片１６３０に当接するようになっている（図２４参照）。
【００６７】
パネル本体４の上面４２には、第１面部４０側の第１立ち上がり辺４２０と、第２面部４１側の第２立ち上がり辺４２１が対向状に形成されている（図２４参照）。当接ピース１６３は、第１立ち上がり辺４２０と第２立ち上がり辺４２１との間に位置して上面４２に設けられるので、現場での当接ピース１６３の設置が容易であり、また、押し付け時に当接ピース１６３が室内外方向にずれた場合であっても、第１立ち上がり辺４２０あるいは第２立ち上がり辺４２１に当接することでパネル本体４の上面４２から外れるこがなく、押し付け力を斜め下方に伝達することができる。また、下方押し付け具はパネル本体４とは別部材でありパネル本体４に固定されていないので、パネル本体４の幅方向への移動調整が可能である。本実施形態では、当接ピース１６３は、螺子部１６及びパネル本体４とは独立した別体で用意されているが、螺子部１６の軸部１６１の下端に第１傾斜片１６３０を固定してもよく、あるいは、パネル本体４の上面４２に一体形成してもよい。
【００６８】
図２５（Ｂ）、図２６に示すように、第１要素１４の第１辺１４０、第２辺１４１、第３辺１４２を、縦枠３の第２見付面３１、第１見付面３０、第１見込面３２にそれぞれ近接対向させた状態において、第１要素１４の第１辺１４０と縦枠３の第２見付面３１の間の遊び（クリアランス）、第１要素１４の第２辺１４１と縦枠３の第１見付面３０の間の遊び（クリアランス）が存在する。なお、ここでのクリアランスは極力小さくてもよい。図２５（Ｂ）の状態において、第１要素１４及び第２要素１５が第１要素１４の自重で傾動することで、第１辺１４０の下端１４００が縦枠３の第２見付面３１に当接し、第２辺１４１の上端１４１０が縦枠３の第１見付面３０に当接する。あるいは、螺子部１６のハンドル１６０の回転始動時に、止水パネルの設置者が第１要素１４及び第２要素１５を僅かに傾けることによって、第１辺１４０の下端１４００を縦枠３の第２見付面３１に当接させ、第２辺１４１の上端１４１０を縦枠３の第１見付面３０に当接させてもよい。ここで、螺子部１６のハンドル１６０を回転させると、軸部１６１が斜め下方に移動し、パネル本体４を斜め下方へ押し付ける力が発生すると同時に、パネル本体４からの反力が軸部１６１に作用し、この力がナット１６２を介して第２要素１５の上壁１５０の先端側（第１要素１４から遠い側）を持ち上げようとする力として働き、第１要素１５に固定されている第２要素１４を傾動（第２要素１４の下端側がパネル本体４に近づく方向）させる方向の力を作用させる点に留意されたい。
【００６９】
第１辺１４０の下端１４００が縦枠３の第２見付面３１に当接し、第２辺１４１の上端１４１０が縦枠３の第１見付面３０に当接した初期の傾動姿勢から、螺子部１６のハンドル１６０を回転させることで、軸部１６１が斜め下方に移動し、パネル本体４を斜め下方へ押し付ける。この時、パネル本体４から反力によって、第１要素１５の先端側を持ち上げようとする力を作用させながらパネル本体４を斜め下方に押し付けるが、第１要素１５の先端側を持ち上げようとする力は、第１要素１４を傾動させて、第１要素１４と縦枠３との当接部分（第１辺１４０の下端１４００と縦枠３の第２見付面３１との当接、第２辺１４１の上端１４１０と縦枠３の第１見付面３０との当接）をさらに押し付ける力として作用し、第１要素１４と縦枠３の当接部分に摩擦が発生し、第１要素１４（第１辺１４０、第２辺１４１）が縦枠３を掴持した状態となって、軸部１６１が斜め下方に移動する力がより確実にパネル本体４に作用してパネル本体４を斜め下方に押し付ける。
【００７０】
螺子部１６の軸部１６１は、先端（ハンドル１６０から遠い側）が第１要素１４（掴持部）に近づくような傾斜姿勢となっている。下方押し付け具は、パネル本体４の上面４２に斜め（第１面部４０から第２面部４１に向かう）下方の力を作用させるため、下方水密部材６の床面ＦＬへの押し付けに加えて、側方水密部材５の縦枠３の第１見付面３０への押し付けの効果もある。なお、下方押し付け具によって下向きのみを力をパネル本体４に作用させる場合には、螺子部１６の軸部１６１は垂直姿勢であってもよい。
【００７１】
パネル本体４の第２面部４１の幅方向両端には、それぞれ垂直押し込み量判定手段９が設けてある。図２５（Ｂ）に示すように、パネル本体４の垂直方向押圧前の状態において、垂直ロッド９０の下端部位は床面ＦＬから僅かに上方に離間している。垂直ロッド９０の上端はパネル本体４の上面４２と略同じ高さに位置している。図２５（Ｂ）の状態において、下方押し付け具を用いてパネル本体４を下方に押し込むと、下方水密部材６が圧縮されて、パネル本体４が下方に移動し、垂直ロッド９０の下端が床面ＦＬに当接して、垂直ロッド９０の上端部位が上昇し、垂直ロッド９０の上端がパネル本体４の上面４２から上方に突出する。設置者は、垂直ロッド９０の上端がパネル本体４の上面４２から突出したことを目視で認識することで下方水密部材６の押し込み量が十分であると判断する。
【００７２】
図２８〜図３１に基づいて、パネルの下方押し込み手段２の第２実施形態について説明する。下方押し付け具は、第１要素１４´と、第２要素１５´と、第２要素１５´に設けた螺子部１６と、第１要素１４´と第２要素１５´を連結する螺子部１７と、を備えている。
【００７３】
図３１に示すように、第１要素１４´は、対向状の第１辺１４０、第２辺１４１´と、第１辺１４０と第２辺１４１´とを連結する第３辺１４２と、から断面視コ字形状を備える。下方押し付け具を縦枠３に取り付けた時には、第１要素１４´の第１辺１４０が縦枠３の第２見付面３１に当接し、第２辺１４１´が縦枠３の第１見付面３０に離間対向し、第３辺１４２が縦枠３の第１見込面３２に近接ないし当接する（図３０参照）。第３辺１４２の見込幅は、縦枠３の第１見込面３２の見込幅よりも大きい。第１辺１４０の内面には、第１辺１４０を形成する部材（スチール等の金属）よりも柔軟な材質からなり、ズレ止め機能を備えた当接シート１４３が設けてある。１つの態様では、当接シートはウレタンシート等のゴムである。なお、第３辺１４２の内面に当接シートを設けてもよい。
【００７４】
図３１に示すように、第２要素１５´は、先端に向かって下向き傾斜状の上壁１５０と、対向状の側壁１５１と、上壁１５０及び側壁１５１の基端に立ち上がり状に形成された垂直部１５２と、からなる。第２要素１５´の垂直部１５２は、第２辺１４１´寄りに位置して、第１要素１４´の第１辺１４０、第２辺１４１´に対向している。第２要素１５´の垂直部１５２の第１要素１４´の第１辺１４０に対向する垂直面１５２０は、縦枠３の第１見付面３０に近接対向する（図３０参照）。
【００７５】
第１要素１４´の第１辺１４０と第２要素１５´の垂直部１５２は離間対向しており、第１要素１４´の第１辺１４０と第２要素１５´の垂直部１５２の垂直面１５２０から縦枠３の掴持部が形成されている。なお、掴持部を形成する第１辺１４０と垂直面１５２０の見付幅の大小は限定されない。垂直部１５２の垂直面１５２０には、垂直部１５２を形成する部材（スチール等の金属）よりも柔軟な材質からなり、ズレ止め機能を備えた当接シート１５３が設けてある。１つの態様では、当接シートはウレタンシート等のゴムである。
【００７６】
螺子部１６は、円板状のハンドル１６０と、軸部１６１と、傾斜状の上壁１５０の下面に固定されたナット１６２と、からなり、傾斜姿勢で第２要素１５´に取り付けられている。螺子部１６のハンドル１６０を回転させると、第２要素１５´に対して、軸部１６１は傾斜姿勢で斜め下方に移動する。
【００７７】
螺子部１７は、円板状のハンドル１７０と、軸部１７１と、垂直状の第２辺１４１´の内面に固定されたナット１７２と、からなり、水平姿勢で第１要素１４´に取り付けられている。第２要素１５´の垂直部１５２には、垂直面１５２０の裏面（第１辺１４０と反対側に位置する面）に対向して、螺子部１７の軸部１７１の先端側部位を挿通させるプレート１５２１（図３１参照）を備えており、螺子部１７の軸部１７１の先端側部位はプレート１５２１に形成された挿通孔を通って、軸部１７１の先端が垂直面１５２０の裏面に当接している。螺子部１７のハンドル１７０を回転させると、第１要素１４´の第２辺１４１´に対して軸部１７１が水平方向に移動し、第２要素１５´の垂直部１５２の垂直面１５２０と第１要素１４´の第１辺１４０との間の距離が可変となっている。なお、螺子部１７の軸部１７１の先端側部位を第２要素１５´の垂直部１５２の上方部位に連結（軸部１７１の回転を許容する態様）させて、軸部１７１の水平方向の往復動と一体で第２要素１５´の垂直部１５２が往復動するようにしてもよい。
【００７８】
本実施形態では、下方押し付け具は、当接ピース１６３を介してパネル本体４の上面４２を押し付けるようになっている。当接ピース１６３は、側面視直角三角形状の長辺の第１傾斜片１６３０、短辺の第２傾斜片１６３１と、からなり、第１傾斜片１６３０の先端、第２傾斜片１６３１の先端がパネル本体４の上面４２に当接し、螺子部１６の軸部１６１の下端が第１傾斜片１６３０に当接するようになっている。
【００７９】
パネル本体４の上面４２には、第１面部４０側の第１立ち上がり辺４２０と、第２面部４１側の第２立ち上がり辺４２１が対向状に形成されている（図２８参照）。当接ピース１６３は、第１立ち上がり辺４２０と第２立ち上がり辺４２１との間に位置して上面４２に設けられるので、現場での当接ピース１６３の設置が容易であり、また、押し付け時に当接ピース１６３が室内外方向にずれた場合であっても、第１立ち上がり辺４２０あるいは第２立ち上がり辺４２１に当接することでパネル本体４の上面４２から外れるこがなく、押し付け力を斜め下方に伝達することができる。また、下方押し付け具はパネル本体４とは別部材でありパネル本体４に固定されていないので、パネル本体４の幅方向への移動調整が可能である。本実施形態では、当接ピース１６３は、螺子部１６及びパネル本体４とは独立した別体で用意されているが、螺子部１６の軸部１６１の下端に第１傾斜片１６３０を固定してもよく、あるいは、パネル本体４の上面４２に一体形成してもよい。
【００８０】
止水パネルを設置する建物開口部の両側の縦枠３の見込寸法に合わせるように、螺子部１７のハンドル１７０を回転させて、第１要素１４´の第１辺１４０と第２要素１５´の垂直部１５２の垂直面１５２０との間の寸法を調整して、第１要素１４´の第１辺１４０、第２要素１５´の垂直面１５２０を縦枠３の第２見付面３１、第１見付面３０に密着させ、第１要素１４´の第３辺１４２を第１見込面３２近接ないし当接させる（図２９、図３０参照）。
【００８１】
図２９の状態から、螺子部１６のハンドル１６０を回転させると、軸部１６１が斜め下方に移動し、パネル本体４を斜め下方へ押し付ける力が発生すると同時に、パネル本体４からの反力が軸部１６１に作用し、この力がナット１６２を介して第２要素１５´の上壁１５０の先端側（第１要素１４´から遠い側）を持ち上げようとする力として働き、第１要素１５´の垂直部１５２を傾動（垂直面１５２０の上端１５２２が縦枠３の第１見付面３０に押し付けられ、垂直面１５２０の下端１５２３が縦枠３の第１見付面３０の下端から離れる方向）させるように作用する。ここで、螺子部１７の軸部１７１はナット１７２を介して第１要素１４´の第２辺１４１´に連結されている一方、軸部１７１は第２要素１５´の垂直部１５２のプレート１５２１の挿通孔を挿通しているので、第２要素１５´（垂直部１５２）は、挿通孔と軸部１７１のクリアランスの範囲内で、第１要素１４´に対して傾動することができる。
【００８２】
下方押し付け具の第１要素１４´の第１辺１４０、第２要素１５´の垂直面１５２０を縦枠３の第２見付面３１、第１見付面３０に密着させた状態から、螺子部１６のハンドル１６０を回転させることで、軸部１６１が斜め下方に移動し、パネル本体４を斜め下方へ押し付ける。この時、パネル本体４から反力によって、第１要素１５´の先端側を持ち上げようとする力を作用させながらパネル本体４を斜め下方に押し付けるが、第１要素１５´の先端側を持ち上げようとする力は、第１要素１５´を傾動させて、垂直面１５２０の上端１５２２と縦枠３の第１見付面３０との当接部分をさらに押し付ける力として作用して当該当接部分に摩擦が発生し、縦枠３の第２見付面３１に密着した第１要素１４´の第１辺１４０とで縦枠３を掴持した状態となって、軸部１６１が斜め下方に移動する力がより確実にパネル本体４に作用してパネル本体４を斜め下方に押し付ける。
【００８３】
螺子部１６の軸部１６１は、先端（ハンドル１６０から遠い側）が掴持部（第１辺１４０と垂直面１５２０）に近づくような傾斜姿勢となっている。下方押し付け具は、パネル本体４の上面４２に斜め（第１面部４０から第２面部４１に向かう）下方の力を作用させるため、下方水密部材６の床面ＦＬへの押し付けに加えて、側方水密部材５の縦枠３の第１見付面３０への押し付けの効果もある。なお、下方押し付け具によって下向きのみを力をパネル本体４に作用させる場合には、螺子部１６の軸部１６１は垂直姿勢であってもよい。
【００８４】
パネル本体４の第２面部４１の幅方向両端には、それぞれ垂直押し込み量判定手段９が設けてある。図２９に示すように、パネル本体４の垂直方向押圧前の状態において、垂直ロッド９０の下端部位は床面ＦＬから僅かに上方に離間している。垂直ロッド９０の上端はパネル本体４の上面４２と略同じ高さに位置している。図２９の状態において、下方押し付け具を用いてパネル本体４を下方に押し込むと、下方水密部材６が圧縮されて、パネル本体４が下方に移動し、垂直ロッド９０の下端が床面ＦＬに当接して、垂直ロッド９０の上端部位が上昇し、垂直ロッド９０の上端がパネル本体４の上面４２から上方に突出する。設置者は、垂直ロッド９０の上端がパネル本体４の上面４２から突出したことを目視で認識することで下方水密部材６の押し込み量が十分であると判断する。
【００８５】
図３３は、パネルの下方押し込み手段２の第１実施形態の変形例を示し、第１要素１４の形状を除いて、図２４〜図２７に示す第１実施形態と同一であり、上記第１実施形態の説明を援用することができる。図３３に示すように、第１要素１４は、対向状の第１辺１４０、第２辺１４１と、第１辺１４０と第２辺１４１とを連結する第３辺１４２と、から断面視コ字形状を備える。第１要素１４が縦枠３を掴持した時には、第１辺１４０が縦枠３の第２見付面３１に当接し、第２辺１４１が縦枠３の第１見付面３０に当接し、第３辺１４２が縦枠３の第１見込面３２に近接ないし当接する。第１辺１４０は第２辺１４１に対して高さ方向に短辺であり、第１辺１４０の下端１４００の高さ位置は、螺子部１６の軸部１６１と第２要素１５の上壁１５０との連結部１５００の高さ位置よりも上方に位置している（図２７に示す態様では、第１辺１４０の下端１４００の高さ位置は、螺子部１６の軸部１６１と第２要素１５の上壁１５０との連結部１５００の高さ位置よりも下方に位置している）。第１辺１４０の下端１４００を連結部１５００よりも上方に位置させることで、第１要素１５の先端側を持ち上げようとする力が、第１辺１４０の下端１４００と縦枠３の第２見付面３１との当接部を押し付ける力として良好に作用し、第１要素１４（第１辺１４０、第２辺１４１）が縦枠３を掴持した状態となって、軸部１６１が斜め下方に移動する力がより確実にパネル本体４に作用してパネル本体４を斜め下方に押し付ける。
【００８６】
図３４、図３５に、パネルの下方押し込み手段２の第１実施形態のさらなる変形例を示す。下方押し付け具の基本的な構成は、図２４〜図２７に示す第１実施形態と同一であるが、図２４〜図２７に示す態様では、第１要素１４の第１辺１４０、第２辺１４１が縦枠３の第２見付面３１、第１見付面３０に当接して、縦枠３を掴持するのに対して、図３４、図３５に示す態様では、第１要素１４の第１辺１４０、第２辺１４１が縦枠３の第２見込面３３、第１見込面３２に当接して、縦枠３を掴持するようになっている。螺子部１６の軸部１６１は、先端が縦枠３（第１見込面３２）に近づく方向に下向きに傾斜している。パネル本体４の第２面部４１の上方部位には、幅方向両端部にそれぞれ位置して、被押し付け部（図示の態様ではプレートであるが、被押し付け部の形状は限定されない）１８が持ち出し状に設けてある。下方押し付け具は、螺子部１６の軸部１６１の先端が被押し付け部１８上に当接するようにセットされる。第１辺１４０の下端１４００が縦枠３の第２見込面３３に当接し、第２辺１４１の上端１４１０が縦枠３の第１見込面３２に当接した初期の傾動姿勢から、螺子部１６のハンドル１６０を回転させることで、軸部１６１が斜め下方に移動し、被押し付け部１８を介してパネル本体４を斜め下方へ押し付ける。この時、パネル本体４から反力によって、第１要素１５の先端側を持ち上げようとする力を作用させながらパネル本体４を斜め下方に押し付けるが、第１要素１５の先端側を持ち上げようとする力は、第１要素１４を傾動させて、第１要素１４と縦枠３との当接部分（第１辺１４０の下端１４００と縦枠３の第２見込面３３との当接、第２辺１４１の上端１４１０と縦枠３の第１見込面３２との当接）をさらに押し付ける力として作用し、第１要素１４と縦枠３の当接部分に摩擦が発生し、第１要素１４（第１辺１４０、第２辺１４１）が縦枠３を掴持した状態となって、軸部１６１が斜め下方に移動する力がより確実にパネル本体４に作用してパネル本体４を斜め下方に押し付ける。なお、傾斜姿勢の軸部１６１を示したが、軸部１６１は垂直姿勢でもよい。なお、パネルの下方押し込み手段２として下方押し付け具の幾つかの実施形態について説明したが、これらの下方押し付け具は、固定手段８によりパネル本体４を固定するまでのパネル本体４の仮固定手段としても機能する。また、本実施形態では、パネル本体４に対して着脱自在に設けられる下方押し付け具について説明したが、下方押し付け具をパネル本体４に一体的に固定してもよい。
【符号の説明】
【００８７】
３  縦枠
３０  第１見付面（室外側見付面）
３１  第２見付面（室内側見付面）
３２  第１見込面
４  パネル本体
４０  第１面部
４１  第２面部
４２  上面
４３  下面
４４  側面
５  側方水密部材
６  下方水密部材
８  固定手段
８０  ベルト（可撓性長尺部）
８１  掛止部
８１０  第１片
８１１  第２片
８２  締め具
９  下方押し込み量判定手段
９０  垂直ロッド（可動体）
１３  下方押し込み要素
１３１  足載せ部
１３１０  下面（当接部）
１３２  当接部
１４  第１要素
１４０  第１辺（掴持部の第１辺）
１４１  第２辺（掴持部の第２辺）
１５´  第２要素
１５２  垂直部
１５２０  垂直面（掴持部の第２辺）
１６  螺子部（押圧手段）
１６０  ハンドル
１６１  軸部
１７  螺子部
ＦＬ  床面
【図１】
2018071221.tif 000003
【図２】
2018071221.tif 000004
【図３】
2018071221.tif 000005
【図４】
2018071221.tif 000006
【図５】
2018071221.tif 000007
【図６】
2018071221.tif 000008
【図７】
2018071221.tif 000009
【図８】
2018071221.tif 000010
【図９】
2018071221.tif 000011
【図１０】
2018071221.tif 000012
【図１１】
2018071221.tif 000013
【図１２】
2018071221.tif 000014
【図１３】
2018071221.tif 000015
【図１４】
2018071221.tif 000016
【図１５】
2018071221.tif 000017
【図１６】
2018071221.tif 000018
【図１７】
2018071221.tif 000019
【図１８】
2018071221.tif 000020
【図１９】
2018071221.tif 000021
【図２０】
2018071221.tif 000022
【図２１】
2018071221.tif 000023
【図２２】
2018071221.tif 000024
【図２３】
2018071221.tif 000025
【図２４】
2018071221.tif 000026
【図２５】
2018071221.tif 000027
【図２６】
2018071221.tif 000028
【図２７】
2018071221.tif 000029
【図２８】
2018071221.tif 000030
【図２９】
2018071221.tif 000031
【図３０】
2018071221.tif 000032
【図３１】
2018071221.tif 000033
【図３２】
2018071221.tif 000034
【図３３】
2018071221.tif 000035
【図３４】
2018071221.tif 000036
【図３５】
2018071221.tif 000037